(57)【要約】【課題】一例として、複数の単電池を収容する構成の剛性をより高くすることができる構成を得る。【解決手段】実施形態の組電池は、第一の部材と、第二の部材と、複数の単電池と、結合部と、を備える。前記第一の部材は、収容部が内側に設けられた筒部と、前記筒部の端部に設けられ前記収容部を覆った第一の壁部と、を有する。前記第二の部材は、前記収容部の前記第一の壁部とは反対側に位置され前記収容部を覆った第二の壁部を有し、前記筒部と結合されている。前記複数の単電池は、前記収容部に収容され、前記第一の壁部に沿って並べられている。前記結合部は、前記筒部の延び方向の視線で前記筒部の内側と重なる前記第一の壁部の第一の重部分と、前記視線で前記筒部の内側と重なる前記第二の壁部の第二の重部分と、を結合し、互いに隣り合う二つの前記単電池の間に位置している。【選択図】図９
2016201258.tif 000002
【特許請求の範囲】
【請求項１】
収容部が内側に設けられた筒部と、前記筒部の端部に設けられ前記収容部を覆った第一の壁部と、を有した第一の部材と、
前記収容部の前記第一の壁部とは反対側に位置され前記収容部を覆った第二の壁部を有し、前記筒部と結合された第二の部材と、
前記収容部に収容され、前記第一の壁部に沿って並べられた複数の単電池と、
前記筒部の延び方向の視線で前記筒部の内側と重なる前記第一の壁部の第一の重部分と、前記視線で前記筒部の内側と重なる前記第二の壁部の第二の重部分と、を結合し、互いに隣り合う二つの前記単電池の間に位置した結合部と、
を備えた組電池。
【請求項２】
前記結合部は、前記第一の重部分と前記第二の重部分とを機械的に結合した、請求項１に記載の組電池。
【請求項３】
前記結合部は、前記第一の重部分に一体に設けられた第一の引掛部と、前記第二の重部分に一体に設けられ前記第一の引掛部と引っ掛かった第二の引掛部と、を有した、請求項１または２に記載の組電池。
【請求項４】
前記結合部は、前記延び方向に沿って前記第一の壁部と前記第二の壁部との少なくとも一方に設けられ前記延び方向と交差する交差方向で互いに隣り合う二つの前記単電池の間に位置した第三の壁部を有した、請求項１〜３のいずれか一項に記載の組電池。
【請求項５】
第四の壁部を有し、
前記第三の壁部は、電気的な絶縁性を有し、第一の前記交差方向で互いに隣り合う二つの前記単電池の間に位置し、
前記第四の壁部は、電気的な絶縁性を有し、前記延び方向に沿って前記第一の壁部と前記第二の壁部との少なくとも一方に設けられるとともに前記第三の壁部と交差する方向に沿って設けられ、前記第一の交差方向と交差する第二の前記交差方向で互いに隣り合う二つの前記単電池の間に位置した、請求項４に記載の組電池。
【請求項６】
前記第三の壁部と前記第四の壁部との少なくとも一方に設けられ、前記単電池に向けて突出した凸部を備えた、請求項５に記載の組電池。
【請求項７】
電気的な絶縁性を有し、互いに電位が異なる二つの前記単電池の間に位置した第三の部材を備えた、請求項１〜６のいずれか一項に記載の組電池。
【請求項８】
前記第一の壁部と前記第二の壁部とを含み、前記単電池と向かい合う複数の壁部と、
前記複数の壁部のいずれかと前記単電池との間に設けられ、前記単電池と接触した弾性部材と、
を備えた、請求項１〜７のいずれか一項に記載の組電池。
【請求項９】
前記第一の引掛部と前記第二の引掛部とを互いに引っ掛ける弾性力を生じる弾性部材を備えた、請求項３に記載の組電池。
【請求項１０】
前記弾性部材は、前記第一の壁部と前記第二の壁部との少なくとも一方に設けられ、前記単電池と接触した、請求項９に記載の組電池。
【請求項１１】
前記弾性部材は、発泡性の合成樹脂材料で構成された、請求項８〜１０のいずれか一項に記載の組電池。
【発明の詳細な説明】
【技術分野】
【０００１】
本発明の実施形態は、組電池に関する。
【背景技術】
【０００２】
従来、複数の単電池を収容した筐体が例えば互いに結合された二つの部材を備えた組電池が知られている。
【先行技術文献】
【特許文献】
【０００３】
【特許文献１】特開２０１４−１７９２１５号公報
【発明の概要】
【発明が解決しようとする課題】
【０００４】
この種の組電池では、一例として、複数の単電池を収容する構成の剛性をより高くすることができれば、有意義である。
【課題を解決するための手段】
【０００５】
実施形態の組電池は、第一の部材と、第二の部材と、複数の単電池と、結合部と、を備える。前記第一の部材は、収容部が内側に設けられた筒部と、前記筒部の端部に設けられ前記収容部を覆った第一の壁部と、を有する。前記第二の部材は、前記収容部の前記第一の壁部とは反対側に位置され前記収容部を覆った第二の壁部を有し、前記筒部と結合されている。前記複数の単電池は、前記収容部に収容され、前記第一の壁部に沿って並べられている。前記結合部は、前記筒部の延び方向の視線で前記筒部の内側と重なる前記第一の壁部の第一の重部分と、前記視線で前記筒部の内側と重なる前記第二の壁部の第二の重部分と、を結合し、互いに隣り合う二つの前記単電池の間に位置している。
【図面の簡単な説明】
【０００６】
【図１】図１は、第１の実施形態の組電池を示す斜視図である。
【図２】図２は、第１の実施形態の組電池の上筐体部材等を取り外した状態の斜視図である。
【図３】図３は、第１の実施形態の単電池の斜視図である。
【図４】図４は、第１の実施形態の組電池の断面斜視図である。
【図５】図５は、第１の実施形態の組電池の分解状態を示す断面斜視図である。
【図６】図６は、第１の実施形態の組電池の断面斜視図である。
【図７】図７は、第１の実施形態の組電池の上筐体部材等を取り外した状態であって板部材をずらした状態を示す斜視図である。
【図８】図８は、図１のVIII部の一部の断面図である。
【図９】図９は、図６のIX部の一部を拡大して示す図である。
【図１０】図１０は、第１の実施形態の組電池の一部の分解状態を示す断面斜視図である。
【図１１】図１１は、第２の実施形態の組電池の一部を示す断面斜視図である。
【発明を実施するための形態】
【０００７】
以下、図面を参照して、実施形態について説明する。なお、以下の例示的な複数の実施形態には、同様の構成要素が含まれている。よって、以下では、同様の構成要素には共通の符号が付されるとともに、重複する説明が省略される。また、以下の各図では、便宜上、方向が規定されている。Ｘ方向は、筐体１１の長手方向（筐体１１の長さ方向）、Ｙ方向は、筐体１１の短手方向（筐体１１の幅方向）、Ｚ方向は、筐体１１の上下方向である。Ｘ方向、Ｙ方向、およびＺ方向は、互いに直交している。
【０００８】
また、以下に示される実施形態の構成、ならびに当該構成によってもたらされる作用および効果は、あくまで一例である。本発明は、以下の実施形態に開示される構成以外によっても実現可能であるとともに、基本的な構成によって得られる種々の効果のうち少なくとも一つを得ることが可能である。
【０００９】
＜第１の実施形態＞
図１，２に示すように、組電池１は、筐体１１と、複数の単電池１２（図２）と、を備える。複数の単電池１２は、筐体１１に収容されている。複数の単電池１２は、電気的に接続されている。複数の単電池１２の電力は、組電池１に設けられた一対の出力端子（不図示）を介して取り出し可能となっている。
【００１０】
単電池１２は、一例として、それぞれ、リチウムイオン二次電池として構成されている。なお、単電池１２は、ニッケル水素電池や、ニッケルカドミウム電池、鉛蓄電池等、他の電池であってもよい。
【００１１】
図３に示すように、単電池１２は、一例として、容器２１と、正極端子２２と、負極端子２３と、を有している。容器２１内には、一例として、電極体と電解液とが収容されている。電極体は、一例として、発電要素である正極シートおよび負極シートがセパレータを介してスパイラル状に巻かれて形成されうる。また、電極体は、一例として、正極シートおよび負極シートがセパレータを介して積層されて形成されうる。電極体の正極シートおよび負極シートに、正極端子２２および負極端子２３がそれぞれ接続されている。
【００１２】
容器２１は、一例として、偏平の直方体状に構成されている。容器２１は、天面２１ａと、底面２１ｂと、亘面２１ｃと、を有する。天面２１ａは、長方形に構成されている。底面２１ｂは、天面２１ａの反対側に設けられ、長方形に構成されている。亘面２１ｃは、天面２１ａと底面２１ｂとに亘って設けられ、矩形筒状に構成されている。
【００１３】
正極端子２２と負極端子２３とは、天面２１ａに設けられて、天面２１ａから突出している。正極端子２２と負極端子２３とは、天面２１ａの長手方向に間隔をあけて配置されている。正極端子２２と負極端子２３とは、それぞれ導電性材料によって構成されている。
【００１４】
図２に示すように、複数の単電池１２は、筐体１１の底壁部４１ｂに沿って、筐体１１の収容部４５に行列状に配置されている。本実施形態では、一例として、それぞれ複数（一例として、１４個）の単電池１２で構成された複数（一例として、三つ）の電池列１３が並列に配置されている。なお、図６，９にも複数の単電池１２が示されているが、これらの図面では、複数の単電池１２の一部が省略されている。各電池列１３の複数の単電池１２は、電池列１３の一端部から順に二つ一組で並列に接続されて複数の並列電池部１４を構成している。各電池列１３の複数の並列電池部１４は、互いに直列に接続されている。並列電池部１４の二つの単電池１２は、互いに電位が同じである。また、複数の電池列１３は、直列に接続されている。単電池１２同士の接続は、導電部材１５（図４，５，９）によって行われている。導電部材１５は、接続対象の複数の単電池１２の電極端子（正極端子２２や負極端子２３）同士を接続している。導電部材１５は、導電性材料によって構成されている。
【００１５】
図１，２，４〜６に示すように、筐体１１は、下筐体部材４１と、上筐体部材４２と、カバー４３，４４と、を有する。上筐体部材４２は、下筐体部材４１の上部に重ねられて下筐体部材４１と結合され、カバー４３は、上筐体部材４２の上部に重ねられて上筐体部材４２と結合され、カバー４４は、筐体１１の長手方向での下筐体部材４１の一端部（前部）に重ねられて下筐体部材４１と結合されている。また、筐体１１の内部には、下筐体部材４１と上筐体部材４２とに覆われた（囲まれた）収容部４５（室）が設けられ、収容部４５に複数の単電池１２が収容されている。本実施形態では、下筐体部材４１は、第一の部材の一例であり、上筐体部材４２は、第二の部材の一例である。
【００１６】
筐体１１の各部材（下筐体部材４１、上筐体部材４２、カバー４３，４４）は、電気的な絶縁性を有する。筐体１１の各部材は、合成樹脂材料によって構成されることにより、電気的な絶縁性を有してもよいし、金属材料の表面に絶縁材料がコーティングされることにより、電気的な絶縁性を有していてもよい。
【００１７】
図２，４〜６に示すように、下筐体部材４１は、基部４１ａと、張出部４１ｓと、を有する。基部４１ａは、上部が開放された略直方体の箱型に構成されている。基部４１ａは、底壁部４１ｂと、四つの側壁部４１ｃと、を有する。なお、四つの側壁部４１ｃのうちの一つは図示が省略されている。底壁部４１ｂは、矩形状に構成されている。底壁部４１ｂは、筐体１１の上下方向（Ｚ方向）と交差する方向（本実施形態では、一例として直交する方向、ＸＹ平面）に沿って延びている。四つの側壁部４１ｃは、底壁部４１ｂの四つの辺部（縁部）から上方に延びている。四つの側壁部４１ｃは、互いに接続されて矩形の筒部４１ｄを構成している。つまり、本実施形態では、筒部４１ｄの延び方向（筒の軸心方向、Ｚ方向）での筒部４１ｄの下端部４１ｅ（図６）に、底壁部４１ｂが設けられている。底壁部４１ｂは、第一の壁部の一例であり、下端部４１ｅは、端部の一例である。
【００１８】
また、筒部４１ｄの内側には、複数の単電池１２を収容した収容部４１ｆが設けられている。収容部４１ｆは、収容部４５に含まれる。収容部４１ｆは、底壁部４１ｂと側壁部４１ｃとに覆われている（囲まれている）。すなわち、収容部４１ｆは、底壁部４１ｂと側壁部４１ｃとによって形成された略矩形（四角形）の凹部である。
【００１９】
また、図４〜６，８に示すように、基部４１ａは、複数（一例として、二つ）の仕切壁部４１ｇを有する。複数の仕切壁部４１ｇは、いずれも、筒部４１ｄの内側に設けられている。複数の仕切壁部４１ｇは、いずれも、筒部４１ｄの延び方向（Ｚ方向）の視線で筒部４１ｄの内側と重なる底壁部４１ｂの重部分４１ｂ１に接続されている。重部分４１ｂ１は、底壁部４１ｂのうち筒部４１ｄに接続された部分（四つの辺部）の内側の部分ともいうことができる。複数の仕切壁部４１ｇは、いずれも、筒部４１ｄの延び方向（Ｚ方向）に沿って底壁部４１ｂの内面に設けられている。詳細には、複数の仕切壁部４１ｇは、いずれも、筐体１１の短手方向（Ｙ方向）と交差する方向（本実施形態では、一例として、直交する方向、ＸＺ平面）に沿って延びている。また、複数の仕切壁部４１ｇは、筐体１１の短手方向（Ｙ方向）に互いに間隔を空けて設けられている。複数の仕切壁部４１ｇは、収容部４１ｆを複数の領域に仕切っている。また、複数の仕切壁部４１ｇは、いずれも、隣り合う二つの電池列１３の間に位置している。すなわち、複数の仕切壁部４１ｇは、いずれも、筒部４１ｄの延び方向（Ｚ方向）と交差する第一の交差方向（本実施形態では、一例として、直交する方向、Ｙ方向）で互いに隣り合う二つの単電池１２の間に位置している。仕切壁部４１ｇの高さは、筒部４１ｄの高さと異なっていてもよいし同じであってもよい。図面では、仕切壁部４１ｇの高さが筒部４１ｄの高さよりも低い例が示されている。仕切壁部４１ｇは、第三の壁部の一例であり、重部分４１ｂ１は、第一の重部分の一例である。
【００２０】
また、図６，８，９に示すように、基部４１ａは、複数の仕切壁部４１ｈを有する。複数の仕切壁部４１ｈは、いずれも、筒部４１ｄの内側に設けられている。複数の仕切壁部４１ｈは、いずれも、底壁部４１ｂの重部分４１ｂ１に接続されている。複数の仕切壁部４１ｈは、いずれも、筒部４１ｄの延び方向（Ｚ方向）に沿って底壁部４１ｂの内面に設けられ、仕切壁部４１ｇと交差する方向に沿って設けられている。複数の仕切壁部４１ｈは、いずれも、複数の仕切壁部４１ｇと交差している。詳細には、複数の仕切壁部４１ｈは、いずれも、筐体１１の長手方向（Ｘ方向）と交差する方向（本実施形態では、一例として、直交する方向、ＹＺ平面）に沿って延びている。また、複数の仕切壁部４１ｈは、筐体１１の長手方向（Ｘ方向）に互いに間隔を空けて設けられている。複数の仕切壁部４１ｈは、収容部４１ｆを複数の領域に仕切っている。また、複数の仕切壁部４１ｈは、いずれも、第一の交差方向と交差する第二の交差方向（本実施形態では、一例として、直交する方向、Ｘ方向）で互いに隣り合う二つの単電池１２の間に位置している。仕切壁部４１ｈの高さは、一例として、仕切壁部４１ｇの高さよりも低い。仕切壁部４１ｈは、第四の壁部の一例である。
【００２１】
また、複数の仕切壁部４１ｇ，４１ｈには、それぞれ凸部４１ｉが設けられている。凸部４１ｉは、仕切壁部４１ｇ，４１ｈから単電池１２に向けて突出している。凸部４１ｉは、単電池１２の容器２１と当接して、単電池１２を支持する。すなわち、凸部４１ｉは、単電池１２を位置決めする。
【００２２】
また、図２に示されるように、張出部４１ｓは、筐体１１の長手方向（Ｘ方向）での基部４１ａの端部から筐体１１の長手方向（Ｘ方向）に張り出している。
【００２３】
図１，４〜６に示すように、上筐体部材４２は、下筐体部材４１の収容部４１ｆを覆って、下筐体部材４１と結合されている。上筐体部材４２は、天壁部４２ｂと、四つの側壁部４２ｃと、を有する。天壁部４２ｂは、第二の壁部の一例である。
【００２４】
天壁部４２ｂは、収容部４１ｆ（収容部４５）の底壁部４１ｂとは反対側（上側）に位置され、収容部４１ｆ（収容部４５）および単電池１２を覆っている。天壁部４２ｂは、底壁部４１ｂと向かい合っている。天壁部４２ｂは、矩形状に構成されている。天壁部４２ｂは、筐体１１の上下方向（Ｚ方向）と交差する方向（本実施形態では、一例として直交する方向、ＸＹ平面）に沿って延びている。また、天壁部４２ｂには、単電池１２の正極端子２２および負極端子２３が貫通しており、天壁部４２ｂの外面（上面）上に、複数の導電部材１５が配置されている。天壁部４２ｂから突出した正極端子２２および負極端子２３と導電部材１５とは、カバー４３によって覆われている。
【００２５】
四つの側壁部４２ｃは、天壁部４２ｂの四つの辺部（縁部）から筐体１１の上下方向に延びている。四つの側壁部４２ｃは、互いに接続されて矩形の筒部４２ｄを構成している。すなわち、本実施形態では、筒部４１ｄの延び方向（筒の軸心方向、Ｚ方向）での筒部４２ｄの中間部に、天壁部４２ｂが設けられている。筒部４２ｄは、天壁部４２ｂから下筐体部材４１に向かって延びる第一の部分４２ｄ１（図６）と、天壁部４２ｂから下筐体部材４１とは反対側（上方）に延びる第二の部分４２ｄ２（図６）と、を有する。
【００２６】
また、図６に示すように、筒部４２ｄの第一の部分４２ｄ１の内側（内部）には、収容部４２ｆが設けられている。収容部４２ｆは、収容部４５に含まれる。収容部４２ｆは、天壁部４２ｂと側壁部４２ｃとに覆われている。すなわち、収容部４２ｆは、天壁部４２ｂと側壁部４２ｃとによって形成された略矩形（四角形）の凹部である。
【００２７】
また、図５，６，８に示すように、上筐体部材４２は、複数（一例として、二つ）の仕切壁部４２ｇを有する。複数の仕切壁部４１ｇは、筐体１１の上下方向で下筐体部材４１の複数の仕切壁部４１ｇと並んで設けられている。複数の仕切壁部４２ｇは、いずれも、筒部４２ｄの第一の部分４２ｄ１の内側に設けられている。仕切壁部４２ｇは、筒部４１ｄの延び方向（Ｚ方向）の視線で筒部４１ｄの内側と重なる天壁部４２ｂの重部分４２ｂ１に接続されている。重部分４２ｂ１は、天壁部４２ｂのうち筒部４２ｄに接続された部分（四つの辺部）の内側の部分ともいうことができる。複数の仕切壁部４２ｇは、いずれも、筒部４２ｄの延び方向（Ｚ方向）に沿って天壁部４２ｂの内面（下面）に設けられている。詳細には、複数の仕切壁部４２ｇは、いずれも、筐体１１の短手方向（Ｙ方向）と交差する方向（本実施形態では、一例として、直交する方向、ＸＺ平面）に沿って延びている。また、複数の仕切壁部４２ｇは、筐体１１の短手方向（Ｙ方向）に互いに間隔を空けて設けられている。複数の仕切壁部４２ｇは、収容部４２ｆを複数の領域に仕切っている。また、複数の仕切壁部４２ｇは、いずれも、隣り合う二つの電池列１３の間に位置している。すなわち、複数の仕切壁部４２ｇは、いずれも、第一の交差方向（Ｙ方向）で互いに隣り合う二つの単電池１２の間に位置している。仕切壁部４２ｇは、第三の壁部の一例であり、重部分４２ｂ１は、第二の重部分の一例である。
【００２８】
また、図６，８，９に示すように、上筐体部材４２は、複数の仕切壁部４２ｈを有する。複数の仕切壁部４２ｈは、筐体１１の上下方向で下筐体部材４１の複数の仕切壁部４１ｈと並んで設けられている。複数の仕切壁部４２ｈは、いずれも、筒部４２ｄの第一の部分４２ｄ１の内側に設けられている。複数の仕切壁部４２ｈは、いずれも、天壁部４２ｂの重部分４２ｂ１に接続されている。複数の仕切壁部４２ｈは、いずれも、筒部４２ｄの延び方向（Ｚ方向）に沿って天壁部４２ｂの内面に設けられ、仕切壁部４２ｇと交差する方向に沿って設けられている。仕切壁部４２ｈは、仕切壁部４２ｇと交差している。詳細には、複数の仕切壁部４２ｈは、いずれも、筐体１１の長手方向（Ｘ方向）と交差する方向（本実施形態では、一例として、直交する方向、ＹＺ平面）に沿って延びている。また、複数の仕切壁部４２ｈは、筐体１１の長手方向（Ｘ方向）に互いに間隔を空けて設けられている。複数の仕切壁部４２ｈは、収容部４２ｆを複数の領域に仕切っている。また、複数の仕切壁部４２ｈは、いずれも、第二の交差方向（Ｘ方向）で互いに隣り合う二つの単電池１２の間に位置している。仕切壁部４２ｈは、第四の壁部の一例である。
【００２９】
また、複数の仕切壁部４２ｈ，４２ｇには、それぞれ凸部４２ｉが設けられている（仕切壁部４２ｇの凸部４２ｉは、図示が省略されている）。凸部４２ｉは、仕切壁部４２ｈ，４２ｇから単電池１２に向けて突出している。凸部４２ｉは、単電池１２の容器２１と当接して、単電池１２を支持する。すなわち、凸部４２ｉは、単電池１２を位置決めする。
【００３０】
図１，６に示すように、上筐体部材４２は、結合部４６と結合部４７とによって下筐体部材４１と結合されている。結合部４６は、下筐体部材４１の筒部４１ｄと上筐体部材４２の筒部４２ｄとを機械的に結合している。結合部４７は、下筐体部材４１の底壁部４１ｂと上筐体部材４２の天壁部４２ｂとを機械的に結合している。上筐体部材４２は、下筐体部材４１に対して着脱可能である。
【００３１】
図１，２，５，６に示すように、結合部４６は、下筐体部材４１の筒部４１ｄに設けられた引掛部４１ｊと、上筐体部材４２の筒部４２ｄに設けられた引掛部４２ｊと、を有する。詳細には、筒部４１ｄの各側壁部４１ｃに複数の引掛部４１ｊが設けられ、筒部４２ｄにおける第１の部分４２ｄ１の各側壁部４２ｃに複数の引掛部４２ｊが設けられている。各引掛部４１ｊには、孔４１ｊ１（開口部）が設けられている。また、各引掛部４２ｊは、爪形状に構成されている。引掛部４１ｊと引掛部４２ｊとは、引掛部４２ｊが孔４１ｊ１に入れられた状態で、上下方向に互いに引っ掛かることにより、筒部４１ｄと筒部４２ｄとを結合している。
【００３２】
図４〜６，９，１０に示すように、結合部４７は、下筐体部材４１の仕切壁部４１ｇと、当該仕切壁部４１ｇに設けられた複数の引掛部４１ｋと、上筐体部材４２の仕切壁部４２ｇと、当該仕切壁部４２ｇに設けられた複数の引掛部４２ｋと、を有する。結合部４７は、互いに隣り合う二つの単電池１２の間に位置している。結合部４７は、互いに隣り合う二つの単電池１２の間に、全体が位置していてもよいし一部だけが位置していてもよい。引掛部４１ｋは、第一の引掛部の一例であり、引掛部４２ｋは、第二の引掛部の一例である。
【００３３】
引掛部４１ｋは、仕切壁部４１ｇの上端部から上方に突出している。各引掛部４１ｋは、爪形状に構成されている。引掛部４１ｋは、仕切壁部４１ｇを介して底壁部４１ｂの重部分４１ｂ１に一体に設けられている。各仕切壁部４１ｇに設けられた複数の引掛部４１ｋは、筐体１１の長手方向（Ｘ方向）に互いに間隔を空けて並べられている。
【００３４】
各引掛部４２ｋは、仕切壁部４２ｇの下端部に設けられている。各引掛部４２ｋには、切欠４２ｋ１（開口部）が設けられている。引掛部４２ｋは、仕切壁部４２ｇを介して天壁部４２ｂの重部分４２ｂ１に一体に設けられている。各仕切壁部４２ｇに設けられた複数の引掛部４２ｋは、筐体１１の長手方向（Ｘ方向）に互いに間隔を空けて並べられている。
【００３５】
引掛部４１ｋと引掛部４２ｋとは、引掛部４１ｋが切欠４２ｋ１に入れられた状態で、上下方向に互いに引っ掛かることにより、底壁部４１ｂの重部分４１ｂ１に接続された仕切壁部４１ｇと、天壁部４２ｂの重部分４２ｂ１に接続された仕切壁部４２ｇとを機械的に結合している。すなわち、結合部４７は、底壁部４１ｂの重部分４１ｂ１と天壁部４２ｂの重部分４２ｂ１とを機械的に結合している。
【００３６】
下筐体部材４１と上筐体部材４２とを結合する場合、例えば、上筐体部材４２を下筐体部材４１の上方から下筐体部材４１に向けて移動させることにより、引掛部４１ｊ，４１ｋと引掛部４２ｊ，４２ｋとを互いに引っ掛けることができる。
【００３７】
また、図８，９に示すように、本実施形態では、筐体１１には、弾性部材４８が設けられている。なお、図８では、弾性部材４８の厚さは誇張されて示されている。また、図９では、弾性部材４８は、網目のハッチングによって示されている。弾性部材４８は、一例として、底壁部４１ｂの内面（上面）と、天壁部４２ｂの内面（下面）と、に設けられている。弾性部材４８は、単電池１２の容器２１の外面と接触し、単電池１２と、底壁部４１ｂまたは天壁部４２ｂとの間に介在して、当該単電池１２を保持する。また、弾性部材４８は、引掛部４１ｊ，４１ｋと引掛部４２ｊ，４２ｋとを互いに引っ掛ける方向の弾性力を生じる。詳細には、底壁部４１ｂと単電池１２の底面２１ｂとの間に介在した弾性部材４８は、底壁部４１ｂを下方に押す方向の弾性力を生じ、天壁部４２ｂと単電池１２の天面２１ａとの間に介在した弾性部材４８は、天壁部４２ｂを上方に押す方向の弾性力を生じる。また、弾性部材４８は、発泡性の合成樹脂材料（発泡材料、例えば、発泡ウレタン等）で構成されている。よって、本実施形態によれば、一例としては、スプレーノズル等によって、発泡塗料を底壁部４１ｂの内面および天壁部４２ｂの内面に塗布することで、弾性部材４８を構成することができる。よって、一例としては、単電池１２を筐体１１の内側に保持（固定）する弾性部材４８が、より容易に得られやすい。弾性部材４８は、筐体１１から単電池１２に伝達される外力を緩衝する緩衝部材として機能することができる。
【００３８】
また、図６〜９に示すように、本実施形態では、筐体１１の収容部４５に、複数（一例として、六つ）の板部材４９が配置されている。板部材４９は、下筐体部材４１および上筐体部材４２とは別体（別部品）に構成されている。板部材４９は、筐体１１の長手方向（Ｘ方向）と交差する方向（本実施形態では、一例として直交する方向、ＹＺ平面）に沿って延びて、複数の並列電池部１４に亘っている。また、複数の板部材４９は、筐体１１の長手方向（Ｘ方向）に互いに間隔を空けて配置されている。板部材４９は、例えば筐体１１と同じ材料によって構成され、電気的な絶縁性を有している。板部材４９は、第二の交差方向（Ｘ方向）で互いに隣り合う二つの並列電池部１４の間に位置している。すなわち、板部材４９は、互いに電位が異なる二つの単電池１２の間に位置している。
【００３９】
板部材４９は、詳細には、複数（一例として、三つ）の壁部４９ａと、複数（一例として、二つ）の接続部４９ｂと、を有している。複数の壁部４９ａは、いずれも、筐体１１の長手方向（Ｘ方向）と交差する方向（本実施形態では、一例として直交する方向、ＹＺ平面）に沿って延びている。すなわち、壁部４９ａは、仕切壁部４１ｇと交差する方向に沿って設けられている。壁部４９ａは、仕切壁部４１ｇと交差している。壁部４９ａは、電池列１３毎に設けられ、複数の壁部４９ａは、筐体の短手方向（Ｙ方向）に沿って並べられている。隣り合う二つの壁部４９ａは、接続部４９ｂによって接続されている。壁部４９ａは、第二の交差方向（Ｘ方向）で互いに隣り合う二つの並列電池部１４の間に位置している。
【００４０】
図８，９に示すように、壁部４９ａは、下筐体部材４１の仕切壁部４１ｈと上筐体部材４２の仕切壁部４２ｈとの間に配置されている。板部材４９は、下筐体部材４１の仕切壁部４１ｈと上筐体部材４２の仕切壁部４２ｈとの間に位置した状態で、下筐体部材４１の仕切壁部４１ｇに支持されている。詳細には、仕切壁部４１ｇには凹部４１ｇ１が設けられ、当該凹部４１ｇ１に接続部４９ｂが入れられた状態で、接続部４９ｂの下端部が仕切壁部４１ｇに支持されている。板部材４９は、第三の部材の一例である。
【００４１】
また、図１に示すように、本実施形態では、カバー４４には、端子カバー５０が取り付けられている。端子カバー５０は、組電池１の一対の出力端子を覆っている。
【００４２】
以上、説明したように、本実施形態では、上筐体部材４２は、下筐体部材４１の筒部４１ｄと結合されている。そして、結合部４７は、底壁部４１ｂ（第一の壁部）の重部分４１ｂ１（第一の重部分）と、天壁部４２ｂ（第二の壁部）の重部分４２ｂ１（第二の重部分）と、を結合している。よって、複数の単電池１２を収容する構成（筐体１１）の剛性を、結合部４７が設けられていない構成に比べて、より高くすることができる。また、底壁部４１ｂと天壁部４２ｂとのたわみの発生を抑制することができる。
【００４３】
また、本実施形態では、結合部４７は、重部分４１ｂ１と重部分４２ｂ１とを機械的に結合している。よって、例えば充填（塗布）および固化に時間を要する接着剤によって重部分４１ｂ１と重部分４２ｂ１とを結合する場合に比べて、筐体１１の組立時間の短縮化を図ることができる。
【００４４】
また、本実施形態では、結合部４７は、重部分４１ｂ１に一体に設けられた引掛部４１ｋ（第一の引掛部）と、重部分４２ｂ１に一体に設けられ引掛部４１ｋと引っ掛かった引掛部４２ｋ（第二の引掛部）と、を有する。よって、例えばねじ部材によって重部分４１ｂ１と重部分４２ｂ１とを結合する場合に比べて、組電池１の部品点数の増加を抑制することができる。
【００４５】
また、本実施形態では、結合部４７は、筒部４１ｄの延び方向に沿って底壁部４１ｂと天壁部４２ｂとの少なくとも一方（一例として、両方）に設けられ筒部４１ｄの延び方向（Ｚ方向）と交差する交差方向で互いに隣り合う二つの単電池１２の間に位置した仕切壁部４１ｇ，４２ｇ（第三の壁部）を有する。よって、仕切壁部４１ｇ，４２ｇによって、交差方向で互いに隣り合う二つの単電池１２が接触するのを抑制することができる。なお、仕切壁部４１ｇ，４２ｇは、いずれか一方だけが設けられていてもよい。
【００４６】
また、本実施形態では、仕切壁部４１ｇ，４２ｇは、電気的な絶縁性を有し、第一の交差方向で互いに隣り合う二つの単電池１２の間に位置している。また、仕切壁部４１ｈ，４２ｈ（第四の壁部）は、電気的な絶縁性を有している。仕切壁部４１ｈ，４２ｈは、筒部４１ｄの延び方向（Ｚ方向）に沿って底壁部４１ｂと天壁部４２ｂとの少なくとも一方（一例として、両方）に設けられるとともに仕切壁部４１ｇ，４２ｇと交差する方向に沿って設けられている。仕切壁部４１ｈ，４２ｈは、第一の交差方向（Ｙ方向）と交差する第二の交差方向（Ｘ方向）で互いに隣り合う二つの単電池１２の間に位置している。よって、第一の交差方向や第二の交差方向で隣り合う二つの単電池１２が接触するのを抑制できるとともに、当該二つの単電池１２の容器２１同士を絶縁しやすい。なお、仕切壁部４１ｈ，４２ｈは、いずれか一方だけが設けられていてもよい。
【００４７】
また、本実施形態では、凸部４１ｉ，４２ｉは、仕切壁部４１ｇ，４２ｇと仕切壁部４１ｈ，４２ｈとの少なくとも一方（一例として、両方）に設けられ、単電池１２に向けて突出している。よって、凸部４１ｉ，４２ｉによって、単電池１２を支持することにより、単電池１２の位置決めを行うことができる。
【００４８】
また、本実施形態では、板部材４９（第三の部材）は、電気的な絶縁性を有している。板部材４９は、互いに電位が異なる二つの単電池１２の間に位置している。よって、板部材４９によって、互いに電位が異なる二つの単電池１２同士の接触を抑制できるとともに、当該二つの単電池１２の容器２１同士を絶縁しやすい。
【００４９】
また、本実施形態では、組電池１は、底壁部４１ｂと天壁部４２ｂとを含み、単電池１２と向かい合う複数の壁部（底壁部４１ｂ、天壁部４２ｂ、側壁部４１ｃ，４２ｃ、仕切壁部４１ｈ，４２ｈ、仕切壁部４１ｇ，４１ｈ等）を備える。また、組電池１は、上記複数の壁部のいずれか（一例として、底壁部４１ｂと天壁部４２ｂ）と単電池１２との間に設けられ、単電池１２と接触した弾性部材４８を備える。よって、弾性部材４８によって、単電池１２を外力から保護しやすい。
【００５０】
また、本実施形態では、組電池１は、引掛部４１ｋと引掛部４２ｋとを互いに引っ掛ける弾性力を生じる弾性部材４８を備える。よって、引掛部４１ｋと引掛部４２ｋとの引っ掛かりを強固にすることができる。また、当該弾性部材４８は、底壁部４１ｂと天壁部４２ｂとの少なくとも一方（一例として、両方）に設けられ、単電池１２と接触している。よって、引掛部４１ｋと引掛部４２ｋとの引っ掛かりを強固にすることができるとともに、単電池１２を外力から保護しやすい。
【００５１】
＜第２の実施形態＞
図１１に示すように、本実施形態は、弾性部材４８が、底壁部４１ｂと天壁部４２ｂとの他に、仕切壁部４１ｇ，４１ｈに設けられている点が主に第１の実施形態と異なる。なお、図１１では、弾性部材４８は、網目のハッチングによって示され、複数の単電池１２の一部は省略されている。各弾性部材４８は、壁部（底壁部４１ｂや天壁部４２ｂ、仕切壁部４１ｇ，４１ｈ）と単電池１２との間に設けられ、単電池１２と接触している。なお、図１１では、仕切壁部４１ｇに設けられた弾性部材４８は、仕切壁部４１ｇの一部だけを覆った例が示されているが、当該弾性部材４８は、仕切壁部４１ｇの全体を覆ってもよい。また、弾性部材４８は、仕切壁部４２ｇ，４２ｈや側壁部４１ｃ，４２ｃ、壁部４９ａに設けられてもよい。
【００５２】
上記各実施形態の各構成要素は、上記の表現に限定されるものではない。例えば、組電池１は、電池モジュール等とも称され得る。また、筐体１１は、ケースや容器等とも称され得る。また、単電池１２は、電池セルや電池等とも称され得る。また、導電部材１５は、バスバーや接続部材、結合部材等とも称され得る。また、底壁部４１ｂ、側壁部４１ｃ，４２ｃ、仕切壁部４１ｇ，４１ｈ，４２ｇ，４２ｈ、および天壁部４２ｂ等は、壁部や部分、絶縁部等とも称され得る。また、仕切壁部４１ｇ，４１ｈ，４２ｇ，４２ｈ、板部材４９は、隔壁部等とも称され得る。また、重部分４１ｂ１，４２ｂ１は、部分や領域等とも称され得る。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、結合部４６，４７は、ねじ部材や接着材等によって、下筐体部材４１と上筐体部材４２とを結合してもよい。
【符号の説明】
【００５４】
１…組電池、１２…単電池、４１…下筐体部材（第一の部材）、４１ｂ…底壁部（第一の壁部）、４１ｂ１…重部分（第一の重部分）、４１ｄ…筒部、４１ｅ…下端部（端部）、４１ｆ…収容部、４１ｇ…仕切壁部（第三の壁部）、４１ｈ…仕切壁部（第四の壁部）、４１ｉ…凸部、４１ｋ…引掛部（第一の引掛部）、４２…上筐体部材（第二の部材）、４２ｂ…天壁部（第二の壁部）、４２ｂ１…重部分（第二の重部分）、４２ｇ…仕切壁部（第三の壁部）、４２ｈ…仕切壁部（第四の壁部）、４２ｉ…凸部、４２ｋ…引掛部（第二の引掛部）、４８…弾性部材、４９…板部材（第三の部材）。
【図３】
2016201258.tif 000003
【図８】
2016201258.tif 000004
【図９】
2016201258.tif 000005
【図１０】
2016201258.tif 000006
【図１１】
2016201258.tif 000007
【図１】
2016201258.tif 000008
【図２】
2016201258.tif 000009
【図４】
2016201258.tif 000010
【図５】
2016201258.tif 000011
【図６】
2016201258.tif 000012
【図７】
2016201258.tif 000013